(57)【要約】      （修正有）【課題】被写体が高い位置にある場合でも、腕の装着したままで、被写体を視認できる撮影機能付リスト装置を提供する。【解決手段】第１表示ユニット１７を、第２表示ユニット１９に揺動自在に連結させ、第１表示ユニット１７が折り畳まれた所定の原点位置にあるときに、第１の表示器２５と第２の表示器３３とが相対するように設け、第１表示ユニット１７の表裏両面のうち第１の表示器２５と反対側の面に所定の被写体を撮影する外部撮影用カメラ２３のレンズ２３ａを設け、第１の表示器２５、第２の表示器３３の両表示器のうち、いずれか１つの表示器に、部撮影用カメラ２３により撮影された被写体の撮影画像を表示する機能を設け、使用者の腕に装着する装着部１５を、第２表示ユニット１９に連結させる。【選択図】図２
2018006838.tif 000002
【特許請求の範囲】
【請求項１】
所定の被写体を撮影する外部撮影カメラのレンズ、並びに、前記外部撮影カメラによって撮影された被写体の撮影画像を表示する第１の表示器の両方が設けられた第１表示ユニットと、
所定の視覚情報を表示する第２の表示器が設けられた第２表示ユニットと、
を備えており、
前記第１表示ユニットが前記第２表示ユニットに揺動自在に連結されており、
前記第１表示ユニットが折り畳まれた所定の原点位置にあるときに、前記第１の表示器と前記第２の表示器とが相対するように設けられており、
前記被写体撮影時、前記レンズが前記被写体に向くように、使用者が前記原点位置にある装置ユニットを所定角度、立設させた際に、使用者が前記第１の表示器、第２の表示器の両表示器のうち、いずれか１つの表示器に表示される撮影画像を視認できるように、前記第１表示ユニットの姿勢を変換できることを特長とする撮影機能付リスト装置。
【請求項２】
請求項１に記載の撮影機能付リスト装置が、前記第１の表示器、前記第２の表示器に、前記撮影画像を含む所定の視覚情報を表示させる機能を備えていることを特長とする撮影機能付リスト装置。
【請求項３】
前記撮影画像を拡大する拡大ボタンと、前記撮影画像を縮小する縮小ボタンと、を備えており、
使用者が前記拡大ボタンを押すと、前記撮影画像が拡大され、前記縮小ボタンを押すと、前記撮影画像が縮小されることを特長とする請求項１または請求項２に記載の撮影機能付リスト装置。
【請求項４】
前記両表示器のうち、前記撮影画像が表示される表示器のもう一方の表示器が、タッチ入力できるタッチパネルを備えたタッチスクリーンであり、
前記拡大ボタン、前記縮小ボタンが前記タッチスクリーン上に設けられることを特長とする請求項３に記載の撮影機能付リスト装置。
【請求項５】
前記第１表示ユニットを所定の方向に揺動させる所定のモータと、
前記前記第１表示ユニットを折り畳む方向に前記モータを作動させる第１の作動ボタンと、
前記第１表示ユニットを立設させる方向に前記モータを作動させる第２の作動ボタンと、
を備えており、
前記第１の作動ボタンを押すと、前記第１表示ユニットを折り畳む方向に揺動させ、前記第２の作動ボタンを押すと、前記第１表示ユニットを立設させる方向に揺動させるように、前記モータが作動することを特長とする請求項１乃至請求項４のいずれか１つに記載の撮影機能付リスト装置。
【請求項６】
前記両表示器のうち、前記撮影画像が表示される表示器のもう一方の表示器が、タッチ入力できるタッチパネルを備えたタッチスクリーンであり、
前記第１の作動ボタン、前記第２の作動ボタンが前記タッチスクリーン上に設けられることを特長とする請求項５に記載の撮影機能付リスト装置。
【請求項７】
前記両表示器がタッチ入力できるタッチパネルを備えたタッチスクリーンであり、
前記両表示器のうち、どちらの表示器からもタッチ入力できることを特長とする請求項１乃至請求項６のいずれか１つに記載の撮影機能付リスト装置。
【請求項８】
使用者が前記第２表示ユニットを所定角度、傾けても、前記第１表示ユニットが一定の姿勢を保つように、前記モータが制御されることを特長とする請求項５乃至請求項７のいずれか１つに記載の撮影機能付リスト装置。
【請求項９】
請求項１乃至請求項８のいずれか１つに記載の撮影機能付リスト装置において、さらに、前記第１表示ユニットのうち、レンズが設けられる側の面に、所定の視覚情報を表示する第３の表示器が設けられていることを特長とする撮影機能付リスト装置。
【発明の詳細な説明】
【技術分野】
【０００１】
本願発明は、外部撮影用カメラを備えて、使用者の腕に装着して使用する撮影機能付リスト装置に関するもので、例えば、コンピュータ、タブレット型コンピュータ、情報端末装置、タブレット型情報端末装置、ビデオカメラ、カメラ、テレビ、ラジオ、音声記憶装置、音声出力装置、ゲーム機、位置情報装置、時計に関する。
【背景技術】
【０００２】
撮影機能を備えた装置として、腕に装着して被写体の写真、映像を記録する腕装着型の常時携帯用カメラ・ビデオが公開されている。この常時携帯用カメラ・ビデオは、腕に装着したままでも、一定の撮影ができる。（例えば、特許文献１）
【０００３】
しかしながら、特許文献１に記載の常時携帯用カメラ・ビデオは、レンズがカメラ本体の上面に設けられているので、腕ごと、レンズを被写体に向けなければならない。しかも、この常時携帯用カメラ・ビデオは、表示器が備えられていないので、被写体を撮影する際に表示器上で被写体を視認することができず、被写体を的確に撮影できないという課題があった。
【０００４】
また、撮影機能を備えた装置として、腕に装着して被写体の画像を記録する腕装着型の電子カメラが公開されている。（例えば、特許文献２）
【０００５】
特許文献２に記載の電子カメラは、カメラ本体の本体ケース上面に表示器が略水平状に設けられるとともに、カメラ部が本体ケースの１２時側に配置され、レンズが１２時側の側面から外部に露出し、撮影中心方向が斜め下方に向けられている。
【０００６】
しかしながら、特許文献２に記載の電子カメラは、表示器が固定化されているために、使用者（撮影者）の前方上方にある被写体を撮影しようとすると、腕が上方に差し上げられてしまい、使用者は、表示器を視認できなくなる課題があった。
【０００７】
なお、特許文献２に記載の電子カメラのように、表示器があったとしても、使用者（撮影者）の前方方向にある被写体を的確に撮影しようとすると、撮影された画像を、固定化された表示器で視認し続けなければならない。しかしながら、撮影された画像を確認し続けていると、走行車など、周囲の状況が分かり難くなり、事故の危険性が増す可能性があった。
【０００８】
また、特許文献２に記載の電子カメラは、被写体の位置によっては、撮影方向にある被写体を実際に視認するときと、撮影された画像を表示器で確認するときとで、大きく視点を変更しなければならない。
【０００９】
また、特許文献１に記載の常時携帯用カメラ・ビデオ、特許文献２に記載の電子カメラは、そもそも、撮影画像を拡大、縮小することは考慮されておらず、容易に撮影画像を拡大、縮小する手段も備えられていない。
【先行技術文献】
【特許文献】
【００１０】
【特許文献１】特開２０００−１７１８８９
【特許文献２】特開２００４−７２４５０
【発明の概要】
【発明が解決しようとする課題】
【００１１】
本発明は、上記点に鑑み、被写体の高低に関わらず、使用者が腕に装着したままで、撮影画像を視認しながら容易に撮影できる撮影機能付リスト装置を提供することを目的とする。また、使用者が腕に装着したままでも、操作性のよい撮影機能付リスト装置を提供することを他の目的とする。
【課題を解決するための手段】
【００１２】
本発明は、上記目的を達成するために、請求項１に記載の撮影機能付リスト装置では、  所定の被写体を撮影する外部撮影カメラのレンズ、並びに、外部撮影カメラによって撮影された被写体の撮影画像を表示する第１の表示器の両方が設けられた第１表示ユニットと、
所定の視覚情報を表示する第２の表示器が設けられた第２表示ユニットと、
を備えており、
第１表示ユニットが第２表示ユニットに揺動自在に連結されており、
第１表示ユニットが折り畳まれた所定の原点位置にあるときに、第１の表示器と第２の表示器とが相対するように設けられており、
被写体撮影時、レンズが被写体に向くように、使用者が原点位置にある装置ユニットを所定角度、立設させた際に、使用者が第１の表示器、第２の表示器の両表示器のうち、いずれか１つの表示器に表示される撮影画像を視認できるように、第１表示ユニットの姿勢を変換できることを特長とする。
【００１３】
これによれば、被写体の高低に応じて、第１表示ユニットの立設角度およびレンズの向きを変更することができる。しかも、被写体撮影時に、使用者が第１の表示器、第２の表示器の両表示器のうち、いずれか１つの表示器に表示される撮影画像を視認することができる。その結果、被写体の高低に関わらず、使用者が腕に装着したままで、撮影画像を視認しながら容易に撮影できる撮影機能付リスト装置を提供すること
【００１４】
また、被写体を視認する方向と、表示器で被写体を画像として視認する方向が、ほぼ同じ方向となるようにできるので、視点の移動距離を少なくすることができる。その結果、撮影時に、使用者が、撮影された画像を容易に視認できる撮影機能付リスト装置を提供することができる。なお、被写体を視認する方向と、表示器で被写体を画像として視認する方向が、ほぼ同じ方向となるので、頻繁に視点を移動させる必要がなく、使用者の周りにも、注意がし易い。その結果、撮影時に事故の危険性を低減することができる撮影機能付リスト装置を提供することができる。
【００１５】
請求項２に記載の撮影機能付リスト装置のように、請求項１に記載の撮影機能付リスト装置が、第１の表示器、第２の表示器に、撮影画像を含む所定の視覚情報を表示させる機能を備えていてもよい。
【００１６】
請求項３に記載の撮影機能付リスト装置では、請求項１または請求項２において、撮影画像を拡大する拡大ボタンと、撮影画像を縮小する縮小ボタンと、を備えており、
使用者が拡大ボタンを押すと、撮影画像が拡大され、縮小ボタンを押すと、撮影画像が縮小されることを特長とする。
【００１７】
これによれば、使用者が腕に装着したままで、撮影、撮影停止、撮影画像の拡大、縮小をすることができる。しかも、第２の表示器で撮影、撮影停止、撮影画像の拡大、縮小の操作をしつつ、同時に、第１の表示器２５で撮影画像を確認できるので、操作性がよい。
【００１８】
請求項４に記載の撮影機能付リスト装置では、請求項３において、両表示器のうち、撮影画像が表示される表示器のもう一方の表示器が、タッチ入力できるタッチパネルを備えたタッチスクリーンであり、
拡大ボタン、縮小ボタンがタッチスクリーン上に設けられることを特長とする。
【００１９】
これによれば、一方の表示器で撮影画像を視認しながら、タッチスクリーン上に設けられた拡大ボタン、縮小ボタンを押して、撮影画像を拡大、縮小することができるので、操作性がよい。
【００２０】
請求項５に記載の撮影機能付リスト装置では、請求項１乃至請求項４のいずれか１つにおいて、第１表示ユニットを所定の方向に揺動させる所定のモータと、
第１表示ユニットを折り畳む方向にモータを作動させる第１の作動ボタンと、
第１表示ユニットを立設させる方向にモータを作動させる第２の作動ボタンと、
を備えており、
第１の作動ボタンを押すと、第１表示ユニットを折り畳む方向に揺動させ、第２の作動ボタンを押すと、第１表示ユニットを立設させる方向に揺動させるように、モータが作動することを特長とする。
【００２１】
これによれば、第１の作動ボタン、第２の作動ボタンを押してモータを作動させ、第１表示ユニットの姿勢を変更することができるので、操作性がよい。
【００２２】
請求項６に記載の撮影機能付リスト装置では、請求項５において、両表示器のうち、撮影画像が表示される表示器のもう一方の表示器が、タッチ入力できるタッチパネルを備えたタッチスクリーンであり、
第１の作動ボタン、第２の作動ボタンがタッチスクリーン上に設けられることを特長とする。
【００２３】
これによれば、一方の表示器で撮影画像を視認しながら、タッチスクリーン上に設けられた第１の作動ボタン、第２の作動ボタンを押して、第１表示ユニットの姿勢を変更することができるので、操作性がよい。
【００２４】
請求項７に記載の撮影機能付リスト装置のように、請求項１乃至請求項６のいずれか１つにおいて、両表示器がタッチ入力できるタッチパネルを備えたタッチスクリーンであり、
両表示器のうち、どちらの表示器からもタッチ入力できてもよい。
【００２５】
請求項８に記載の撮影機能付リスト装置では、請求項５乃至請求項７のいずれか１つにおいて、使用者が第２表示ユニットを所定角度、傾けても、第１表示ユニットが一定の姿勢を保つように、モータが制御されることを特長とする。
【００２６】
これによれば、被写体を捕らえ易く、撮影が容易になる。
【００２７】
請求項９に記載の撮影機能付リスト装置では、請求項１乃至請求項８のいずれか１つに記載の撮影機能付リスト装置において、さらに、第１表示ユニットのうち、レンズが設けられる側の面に、所定の視覚情報を表示する第３の表示器が設けられていることを特長とする。
【００２８】
これによれば、第１表示ユニットが折り畳まれた所定の原点位置にあるときでも、第３の表示器から所定の視覚情報を得ることができる。その結果、操作性がよい撮影機能付リスト装置を提供することができる。
【図面の簡単な説明】
【００２９】
【図１】第１の実施形態による、第１表示ユニットが原点位置にあるときの撮影機能付リスト装置の斜視図である。
【図２】第１の実施形態による、第１表示ユニットを立設させたときの撮影機能付リスト装置の斜視図である。
【図３】第１の実施形態による撮影機能付リスト装置の主要部品分解図である。
【図４】第１の実施形態、第２の実施形態による、初期画面である。
【図５】動画撮影用画面の説明図である。
【図６】静止画撮影用画面の説明図である。
【図７】遠隔制御用画面の説明図である。
【図８】遠隔制御用画面の説明図である。
【図９】空調機操作画面の説明図である。
【図１０】第２の実施形態による、第１表示ユニットを立設させたときの撮影機能付リスト装置の斜視図である。
【図１１】動画撮影用画面の説明図である。
【図１２】静止画撮影用画面の説明図である。
【発明を実施するための形態】
【実施例】
【００３０】
（第１の実施形態）
図１は、第１表示ユニットが原点位置にあるときの撮影機能付リスト装置の斜視図、図２は、第１表示ユニットを立設させたときの撮影機能付リスト装置の斜視図、図３は、撮影機能付リスト装置の主要部品分解図、図４は、第２の表示器に拡大ボタン、縮小ボタンを表示させたときの、第２表示ユニットの正面図である。
【００３１】
図１に示すように、撮影機能付リスト装置１１は、装置本体１３、装着部１５を備えている。上述した装置本体１３を具体的に例示すると、情報端末、ビデオカメラ、カメラ、テレビ、音声出力装置（例えば、ラジオ、ミュージックプレイヤ）、音声記憶装置（例えば、ボイスレコーダ）、時計、ゲーム機、位置情報装置（例えば、位置ナビゲーション装置）、電話、血圧計、脈拍計などがある。
【００３２】
装置本体１３は、第１表示ユニット１７、第２表示ユニット１９を備えている。第１表示ユニット１７は、筐体２１、使用者前方の被写体を撮影する外部撮影用カメラ２３、外部撮影用カメラ２３によって撮影された被写体の撮影画像を表示する第１の表示器２５を備えている。筐体２１の表裏両面のうち、第１表示ユニットが折り畳まれた所定の原点位置にあるときに腕外方側の面となる面（筐体面）を表側の面２１ａ、腕側の面となる面（筐体面）を裏側の面２１ｂとすると、外部撮影用カメラ２３のレンズ２３ａが表側の面２１ａに設けられ、第１の表示器２５が裏側の面２１ｂに設けられる。なお、表側の面２１ａの概念には、筐体２１のうち表側の所定の部分を含む。また、裏側の面２１ｂの概念には、筐体２１のうち裏側の所定の部分を含む。本願発明では、筐体の表側の面を筐体の表側、筐体の裏側の面を筐体の裏側と言い換えてもよい。
【００３３】
第１の実施形態では、第１表示ユニット１７が折り畳まれた所定の原点位置にあるときに、使用者がレンズ２３ａを視認できるように、第１表示ユニット１７が配置されている。また、第１の表示器２５は、第１表示ユニットが折り畳まれた所定の原点位置にあるとき、後述する第２の表示器３３と相対するように、筐体２１に設けられている。
【００３４】
第１の表示器２５には、視覚情報を表示するディスプレイが用いられる。撮影機能付リスト装置１１は、第１の表示器２５に、撮影画像の他、所定の視覚情報（文字情報、画像情報）などを表示する機能を備えている。
【００３５】
上述した筐体２１には、図３に示すように、穴部２１ｃ（小径部２１ｄ、ザグリ２１ｅ）が形成されており、小径部２１ｄに、軸２７が嵌合されている。小径部２１ｄは、筐体２１（あるいは第１表示ユニット１７）が所定の可動範囲内で、軸２７の軸心回りに、自在に揺動することができるように、形成されている。つまり、第１表示ユニット１７は、第２表示ユニット１９に対して、揺動自在に連結されている。
【００３６】
筐体２１（あるいは第１表示ユニット１７）の姿勢保持手段について、説明する。筐体２１のザグリ２１ｅには、圧縮された状態で組み立てられる圧縮バネ２９が挿入されている。これにより、筐体２１の側面２１ｆが、所定の押圧力でベース３１の側面３１ａ側に押される。圧縮バネ２９の押圧力は、（可動範囲内において、）第１表示ユニット１７を所定の位置、あるいは任意の位置で姿勢保持させることができる押圧力に設定されている。その結果、使用者は、第１表示ユニット１７を、所定の位置、あるいは任意の位置で姿勢保持させることができる。上述した圧縮バネ２９は、筐体２１（あるいは第１表示ユニット１７）を可動範囲内の所定の位置、任意の位置で姿勢保持させる姿勢保持手段として機能する。なお、姿勢保持手段の構成は、種々有り、上述した方法に限定されるものではない。
【００３７】
第２表示ユニット１９は、図１に示すように、軸２７、圧縮バネ２９、ベース３１、第２の表示器３３、軸３５、軸３７を備えている。このうち、第２の表示器３３には、所定の視覚情報を表示するディスプレイとタッチ入力できるタッチパネルとが設けられたタッチスクリーンが用いられる。第２の表示器３３は、ベース３１の相対面３１ｈに設けられて、所定の視覚情報を表示する。相対面３１ｈは、ベース３１のうち、第１表示ユニット１７が折り畳まれた所定の原点位置にあるときに、第１表示ユニット１７と相対する面であり、第１表示ユニット１７と相対する第２表示ユニット１９の面でもある。
【００３８】
また、ベース３１には、撮影機能付リスト装置１１を制御する制御部、被写体の撮影画像を含む所定の情報を記憶する記憶部、電源、電源ボタン、第１の表示器２５および第２の表示器３３を初期画面に復帰させる初期画面復帰ボタンが設けられている。軸２７は、中空に形成されており、第１表示ユニット１７と第２表示ユニット１９とを中継する電力線、信号線が配線されている。
【００３９】
図３を参照する。ベース３１には、穴部３１ｂ、穴部３１ｃ、穴部３１ｄ、穴部３１ｅ、穴部３１ｆ、穴部３１ｇが形成されている。上述した穴部のうち、穴部３１ｂ、穴部３１ｃには、軸２７が嵌合（締まり嵌め）されている。このほか、穴部３１ｄ、穴部３１ｅには、軸３５が嵌合（締まり嵌め）されている。穴部３１ｆ、穴部３１ｇには、軸３７が嵌合（締まり嵌め）されている。軸２７は、ベース３１と、第１表示ユニット１７とを連結する連結部材であり、第１表示ユニット１７を揺動、立設させる関節、あるいは支点として機能する。
【００４０】
第１表示ユニット１７と、第２表示ユニット１９との連結構成について、説明する。第１表示ユニット１７が原点位置にあるときに、上述した筐体２１のうち、被写体側の一端（被写体側の端部または端部近傍の部位）を被写体側の一端２１ｇ、使用者側の一端（使用者側の端部または端部近傍の部位）を使用者側の一端２１ｈとし、ベース３１のうち、被写体側の一端（被写体側の端部または端部近傍の部位）を被写体側の一端３１ｊ、使用者側の一端（使用者側の端部または端部近傍の部位）を使用者側の一端３１ｋとすると、筐体２１の被写体側の一端２１ｇと、ベース３１の被写体側の一端３１ｊとが、軸２７（関節、支点）で連結されている。これにより、使用者は、撮影機能付リスト装置１１の被写体側（あるいは、ベース３１の被写体側）で、第１表示ユニット１７を揺動、立設することができる。
【００４１】
立設時における（筐体２１の）表側の面２１ａ、裏側の面２１ｂの向きについて、説明する。レンズ２３ａが被写体を向くように、使用者が第１表示ユニット１７を（第１表示ユニット１７が折り畳まれた所定の原点位置から）立設させた時、表側の面２１ａは、被写体側に向けられる。また、レンズ２３ａが被写体を向くように、使用者が第１表示ユニット１７を（第１表示ユニット１７が折り畳まれた所定の原点位置から）立設させた時、裏側の面２１ｂは、使用者側に向けられる。
【００４２】
撮影機能付リスト装置１１の装置構成について、要約する。第１の実施形態では、第１表示ユニット１７が折り畳まれた所定の原点位置にあるときに、レンズ２３ａが表側の面２１ａに配置される。そして、使用者が原点位置にある第１表示ユニット１７を所定角度、立設させたときに、レンズ２３ａが被写体に向くように、第１表示ユニット１７が撮影機能付リスト装置１１の被写体側で立設されるように構成されている。
【００４３】
装着部１５について、説明する。装着部１５は、使用者の腕（手首を含む）に装着する（巻き付ける）部分であり、第２表示ユニット（より具体的には、第２表示ユニットの軸３５、軸３７）に連結される。使用者が装着部１５を腕に装着することで、装置本体１３（第１表示ユニット１７、第２表示ユニット１９）を使用者の腕に固定（あるいは保持）させることができる。装着部１５をより具体的に例示すると、従来の腕時計で用いられるようなバンド、ベルト、ブレスレットなどを挙げることができる。素材には、布、皮革、金属、プラスチックなどがある。
【００４４】
上述した撮影機能付リスト装置１１は、所定の被写体を撮影する撮影機能の他に、外部機器（エアコン、照明器具など）を遠隔操作する遠隔操作機能、通話機能、画像再生機能、音声録音機能、音声再生機能、位置情報表示器能、インターネット接続機能、ゲーム機能などの機能が、目的に応じて選択され、搭載される。
【００４５】
次に、３つの操作方法（使用者が被写体をビデオ撮影するときの操作方法、使用者が被写体をビデオ撮影するときの操作方法、外部機器を遠隔操作する方法）について、説明する。なお、第１表示ユニット１７は、操作を開始する前に、原点位置にあるものとする。最初に、使用者が撮影機能付リスト装置１１を装着した状態で、電源ボタン（図示せず）を押すと、第２の表示器３３に認証画面が表示される。使用者が認証画面で認証を行い、認証が成立すると、第２の表示器３３に初期画面３９（図４参照）が表示される。
【００４６】
使用者が被写体をビデオ撮影するときの操作方法について、説明する。使用者が図４に示す初期画面３９のビデオボタン３９ａを押すと、初期画面３９が図５に示す動画撮影用画面４１に切り替わり、動画撮影モードＭ１に移行する。動画撮影モードＭ１に移行すると、第１の表示器２５（図２参照）に被写体の画像が表示される。
【００４７】
次に、使用者が第１表示ユニット１７を所定角度、揺動、立設させる。そして、第１表示ユニット１７の姿勢が、外部撮影用カメラ２３によって所定の被写体を撮影でき、しかも使用者が外部撮影用カメラ２３によって撮影された被写体の撮影画像を第１の表示器２５で視認できる姿勢（視認可能撮影姿勢）となるように、第１表示ユニット１７を揺動させ、第１表示ユニット１７の立設角度α（図２参照）を変更させて、第１表示ユニット１７の姿勢を変換する。これにより、使用者は、第１の表示器２５で撮影画像を視認することができる。この状態で、図５に示す動画撮影用画面４１の撮影ボタン４１ａを押すと、撮影画像に対応する画像情報が、記憶部に記憶される。撮影を終了する場合には、撮影停止ボタン４１ｂを押す。
【００４８】
なお、被写体を撮影する際、図５の動画撮影用画面４１のうち、拡大ボタン４１ｃを押すと、撮影画像が拡大される。また、縮小ボタン４１ｄを押すと、撮影画像が縮小される。因みに、視認可能撮影姿勢となるように、第１表示ユニット１７の姿勢を変換する際、体の向きを変える、腕の位置を変える、腕の方向を変えるなど、使用者が協調動作を行うことにより、撮影できる領域を大きくすることができる。
【００４９】
次に、使用者が被写体を写真撮影するときの操作方法について、説明する。使用者が図４に示す初期画面３９のカメラボタン３９ｂを押すと、初期画面３９が図６に示す静止画撮影用画面４３に切り替わり、静止画撮影モードＭ２に移行する。静止画撮影モードＭ２に移行すると、第１の表示器２５（図２参照）に被写体の画像が表示される。
【００５０】
次に、使用者が第１表示ユニット１７を所定角度、揺動、立設させる。そして、第１表示ユニット１７の姿勢が、外部撮影用カメラ２３によって所定の被写体を撮影でき、しかも使用者が外部撮影用カメラ２３によって撮影された被写体の撮影画像を第１の表示器２５で視認できる姿勢（視認可能撮影姿勢）となるように、第１表示ユニット１７を揺動させ、第１表示ユニット１７の立設角度αを変更させて、第１表示ユニット１７の姿勢を変換する。これにより、使用者は、第１の表示器２５で撮影画像を視認することができる。この状態で、図６に示す静止画撮影用画面４３のシャッターボタン４３ａを押すと、撮影画像に対応する画像情報が、記憶部に記憶される。
【００５１】
なお、被写体を撮影する際、図６の静止画撮影用画面４３の拡大ボタン４３ｂを押すと、撮影画像が拡大される。また、縮小ボタン４３ｃを押すと、撮影画像が縮小される。また、静止画撮影用画面４３のフラッシュボタン４３ｄを押すと、フラッシュ撮影することができる。因みに、視認可能撮影姿勢となるように、第１表示ユニット１７の姿勢を変換する際、体の向きを変える、腕の位置を変える、腕の方向を変えるなど、使用者が協調動作を行うことにより、撮影できる領域を大きくすることができる。
【００５２】
次に、外部機器を遠隔操作する方法について、説明する。遠隔操作対象として、照明、空調機、電子錠、カメラ、テレビ、録画装置、録音装置、風呂、給餌器、車両、ロボットなどを例示することができる。代表例として、遠隔操作する外部機器が空調機である場合について、説明する。
【００５３】
使用者が図４に示す初期画面３９の遠隔操作ボタン３９ｃを押すと、初期画面３９が図７に示す遠隔操作用画面４５に切り替わり、遠隔操作モードＭ３に移行する。次に、遠隔操作用画面４５で空調ボタン４５ａを押すと、遠隔操作用画面４５が図８に示す空調機選択画面４７に切り替わる。次に、使用者が遠隔操作したい空調機を選択する。例えば、特定の空調機Ａを遠隔操作したい場合、特定の空調機Ａに対応する空調ボタン（第１の実施形態では、空調ボタン４７ａ）を押す。すると、特定の空調機Ａに対応する空調機操作画面４９に切り替わる（図９参照）。そして、空調機操作画面４９で、詳細に遠隔操作する。図９において、４９ａは冷房ボタン、４９ｂは除湿ボタン、４９ｃは暖房ボタン、４９ｄは温度ボタン、４９ｅは温度ボタン、４９ｆは設定温度表示部、４９ｇは風量ボタン、４９ｈは風向ボタン、４９ｊは風量表示部、４９ｋは風向表示部である。
【００５４】
上記構成によれば、使用者は、使用者が腕に装着したままで、撮影機能付リスト装置１１を使用することができ、被写体の高低に応じて、第１表示ユニットの立設角度αおよびレンズ２３ａの向きを変更することができる。しかも、使用者が腕に装着したままで、撮影画像を視認することができる。その結果、被写体の高低に関わらず、使用者が腕に装着したままで、撮影画像を視認しながら容易に撮影できる撮影機能付リスト装置を提供することができる。
【００５５】
また、使用者が腕に装着したままで、撮影、撮影停止、撮影画像の拡大、縮小をすることができる。しかも、第２の表示器で撮影、撮影停止、撮影画像の拡大、縮小の操作をしつつ、第１の表示器２５で撮影画像を確認できるので、操作性がよい。また、腕に装着した状態で使用できるので、落下等による損傷を防ぐことができる。また、腕に装着した状態で携帯できるので、シャッターチャンスを逃す可能性を低減することができる。また、腕に装着したままで、遠隔操作対象を遠隔操作することができる。
【００５６】
（第２の実施形態）
第１の実施形態では、第１表示ユニットを立設させる際に、使用者が手を用いて第１表示ユニットを揺動させた。これに対し、第２の実施形態では、モータ駆動により、第１表示ユニットを揺動させる。図１０に示すように、筐体２１にモータ５１が内蔵されており、モータ５１の駆動軸５１ａの一端がベース３１に固定されている。
【００５７】
使用者が被写体をビデオ撮影するときの操作方法について、説明する。使用者が図４に示す初期画面３９のビデオボタン３９ａを押すと、初期画面３９が図１１に示す動画撮影用画面５３に切り替わり、動画撮影モードＭ４に移行する。動画撮影モードＭ４に移行すると、第１の表示器２５（図２参照）に被写体の画像が表示される。
【００５８】
次に、使用者が第１表示ユニット１７を所定角度、揺動、立設させる。図１１に示す立設ボタン５３ｅを押すと、立設する方向（立設角度αが増加する方向）に、第１表示ユニット１７が揺動する。また、前傾ボタン５３ｆを押すと、折り畳む方向（立設角度αが減少する方向）に、第１表示ユニット１７が揺動する。立設ボタン５３ｅ、前傾ボタン５３ｆを押して、第１表示ユニット１７の姿勢が、外部撮影用カメラ２３によって所定の被写体を撮影でき、しかも使用者が外部撮影用カメラ２３によって撮影された被写体の撮影画像を第１の表示器２５で視認できる姿勢（視認可能撮影姿勢）となるように、第１表示ユニット１７を揺動させ、第１表示ユニット１７の立設角度α（図２参照）を変更させて、第１表示ユニット１７の姿勢を変換する。これにより、使用者は、第１の表示器２５で撮影画像を視認することができる。この状態で、図１１に示す動画撮影用画面５３の撮影ボタン５３ａを押すと、撮影画像に対応する画像情報が、記憶部に記憶される。撮影を終了する場合には、撮影ボタン停止５３ｂを押す。
【００５９】
なお、被写体を撮影する際、図１１の動画撮影用画面５３のうち、拡大ボタン５３ｃを押すと、撮影画像が拡大される。また、縮小ボタン５３ｄを押すと、撮影画像が縮小される。
【００６０】
次に、使用者が被写体を写真撮影するときの操作方法について、説明する。使用者が図４に示す初期画面３９のビデオボタン３９ａを押すと、初期画面３９が図１２に示す静止画撮影用画面５５に切り替わり、動画撮影モードＭ５に移行する。動画撮影モードＭ５に移行すると、第１の表示器２５（図２参照）に被写体の画像が表示される。
【００６１】
次に、使用者が第１表示ユニット１７を所定角度、揺動、立設させる。図１２に示す立設ボタン５５ｅを押すと、立設する方向（立設角度αが増加する方向）に、第１表示ユニット１７が揺動する。また、前傾ボタン５５ｆを押すと、折り畳む方向（立設角度αが減少する方向）に、第１表示ユニット１７が揺動する。立設ボタン５５ｅ、前傾ボタン５５ｆを押して、第１表示ユニット１７の姿勢が、外部撮影用カメラ２３によって所定の被写体を撮影でき、しかも使用者が外部撮影用カメラ２３によって撮影された被写体の撮影画像を第１の表示器２５で視認できる姿勢（視認可能撮影姿勢）となるように、第１表示ユニット１７を揺動させ、第１表示ユニット１７の立設角度α（図２参照）を変更させて、第１表示ユニット１７の姿勢を変換する。これにより、使用者は、第１の表示器２５で撮影画像を視認することができる。この状態で、図１１に示す静止画撮影用画面５５の撮影ボタン５５ａを押すと、撮影画像に対応する画像情報が、記憶部に記憶される。
なお、被写体を撮影する際、図１２の静止画撮影用画面５５の拡大ボタン５５ｂを押すと、撮影画像が拡大される。また、縮小ボタン５５ｃを押すと、撮影画像が縮小される。また、静止画撮影用画面５５のフラッシュボタン５５ｄを押すと、フラッシュ撮影することができる。
【００６２】
（その他の実施形態）
第１の実施形態、第２の実施形態では、第１の表示器にディスプレイを用い、第２のディスプレイにタッチパネルを用いたが、第１の表示器にタッチパネルを用い、第２のディスプレイにディスプレイを用いてもよい。
【００６３】
また、第１の表示器、第２の表示器の両表示器にタッチスクリーンを用いてもよい。両表示器にタッチスクリーンを用いることで、入力用のボタンを多く表示することができる。また、第２の表示器に配置される入力用ボタン、表示部などの各要素を、第１の表示器、第２の表示器の両表示器に分けて表示させ、ボタン等を大きく、見やすく表示させることもできる。
【００６４】
また、第１の表示器、第２の表示器の両表示器にディスプレイを用い、入力ボタンを別に設けてもよい。
【００６５】
また、第１表示ユニットのうち、レンズが設けられる側の面に、所定の情報を表示する表示器が設けられてもよい。
【００６６】
また、テレビのリモコンとして用いる場合、第２の表示器にチャンネル用のボタンを表示させ、第１の表示器にテレビ画像を表示させてもよい。また、第１の表示器にチャンネル用のボタンを表示させ、第２の表示器にテレビ画像を表示させてもよい。
【００６７】
また、第２の表示器に外国語を表示させ、第１の表示器に日本語訳を表示させてもよい。また、第１の表示器に外国語を表示させ、第２の表示器に日本語訳を表示させてもよい。また、本願発明の撮影機能付リスト装置は、使用者の腕（手首を含む）に対して、どのような姿勢で装着されてもよい。
【００６８】
また、使用者が第２表示ユニットを所定角度、傾けても、第１表示ユニットが一定の姿勢を保つように、モータが制御されてもよい。
【００６９】
なお、本願発明の撮影機能付リスト装置が情報端末である場合には、撮影機能付リスト装置に情報端末の機能が設けられる。撮影機能付リスト装置がテレビである場合には、撮影機能付リスト装置にテレビの機能が設けられる。撮影機能付リスト装置が音声出力装置である場合には、撮影機能付リスト装置に音声出力装置の機能が設けられる。撮影機能付リスト装置が音声記憶装置である場合には、撮影機能付リスト装置に音声記憶装置の機能が設けられる。撮影機能付リスト装置が時計である場合には、撮影機能付リスト装置に時計の機能が設けられる。撮影機能付リスト装置がゲーム機である場合には、撮影機能付リスト装置にゲーム機の機能が設けられる。撮影機能付リスト装置が位置情報装置である場合には、撮影機能付リスト装置に位置情報装置の機能が設けられる。撮影機能付リスト装置が電話である場合には、撮影機能付リスト装置に電話の機能が設けられる。撮影機能付リスト装置が血圧計である場合には、撮影機能付リスト装置に血圧計の機能が設けられる。撮影機能付リスト装置が電話である場合には、撮影機能付リスト装置に電話の機能が設けられる。撮影機能付リスト装置が脈拍計である場合には、撮影機能付リスト装置に脈拍計の機能が設けられる。
【００７０】
上記各実施形態は、本願発明を例示したものであり、特許請求の範囲内で、自由に変形が可能である。
【符号の説明】
【００７１】
１１・・・撮影機能付リスト装置
１３・・・装置本体
１５・・・装着部
１７・・・第１表示ユニット
１９・・・第２表示ユニット
２１・・・筐体
２３・・・外部撮影用カメラ
２３ａ・・・レンズ
２５・・・第１の表示器
２７・・・軸
２９・・・圧縮バネ
３１・・・ベース
３３・・・第２の表示器
３５・・・軸
３７・・・軸
【図１】
2018006838.tif 000003
【図２】
2018006838.tif 000004
【図３】
2018006838.tif 000005
【図４】
2018006838.tif 000006
【図５】
2018006838.tif 000007
【図６】
2018006838.tif 000008
【図７】
2018006838.tif 000009
【図８】
2018006838.tif 000010
【図９】
2018006838.tif 000011
【図１０】
2018006838.tif 000012
【図１１】
2018006838.tif 000013
【図１２】
2018006838.tif 000014